(57)【要約】【課題】本発明は、画像グループ単位と、画像グループ内の各画像単位の特記・備考情報と別々に且つ両方持たせることで、特記・備考情報入力時の利用者の負担軽減と、共通した記述方法の提供による操作効率向上を図ることを目的とする。【解決手段】帳票類又は書類を画像により電子化するシステムにおいて、取得した画像の関連あるものを一つの画像グループ単位で取り扱う手段と、画像グループと画像グループ内の各画像に特記・備考情報を関連付ける手段と、画像グループ内の各画像と共に画像グループ単位・画像グループ内の各画像単位にそれぞれ関連付けた特記・備考情報（各操作者が注意又は留意すべき事項）を登録・閲覧・編集する手段と、画像グループと画像グループ内の各画像に関連付けた特記・備考情報として記述されたキーワード（特記・備考情報中の任意情報）を基に、任意の文書を特定し表示する手段を提供する。【選択図】  図６
2005043929.tif 000002
【特許請求の範囲】
【請求項１】
帳票の画像を取得する画像取得手段と、
前記画像取得手段で取得した複数の画像を記憶する画像記憶手段と、
前記画像記憶手段で記憶する個々の画像に画像ＩＤを付す画像ＩＤ付与手段と、
前記画像取得手段で記憶する複数の画像を一つの画像グループとして画像グループＩＤを付す画像グループＩＤ付与手段と、
前記画像ＩＤ付与手段で付した画像ＩＤ及び前記画像グループ付与手段で付した画像グループＩＤに対してそれぞれ特記・備考情報を対応付けて登録する特記・備考情報登録手段とを有することを特徴とする帳票画像管理システム。
【請求項２】
請求項１記載の帳票画像管理システムであって、
前記画像グループＩＤ付与手段で画像グループＩＤが付された画像を前記画像記憶手段から読み出したとき、その画像グループＩＤについて前記特記・備考情報登録手段で対応付けられた特記・備考情報を表示すると共に、当該画像の画像ＩＤについて前記特記・備考情報登録手段で対応付けられた特記・備考情報を表示する画像閲覧手段を有することを特徴とする帳票画像管理システム。
【請求項３】
請求項１又は２記載の帳票画像処理システムであって、
前記画像ＩＤ、前記画像グループＩＤ、及び前記特記・備考情報の一部のいずれかをキーにして前記画像記憶手段から画像を検索する検索手段と、
前記特記・備考情報登録手段で管理された特記・備考情報を編集する編集手段とを有することを特徴とする帳票画像管理システム。
【請求項４】
複数の帳票の画像を取得する画像取得手段と、
前記画像取得手段で取得した画像を画像に固有の画像ＩＤと対応付けて記憶する画像記憶手段と、
複数の画像ＩＤを画像グループとして管理する画像グループ管理手段と、
画像ＩＤ毎に対応付けられている第１のメモ情報と、画像グループ毎に対応付けられている第２のメモ情報とを記憶するメモ情報記憶手段と、
前記画像記憶手段に記憶された画像を表示する表示手段と、
前記表示手段に前記画像記憶手段に記憶された画像を表示するとき、その画像の画像ＩＤに対応付けられている第１のメモ情報と、その画像ＩＤが属する画像グループに対応付けられている第２のメモ情報とを前記メモ情報記憶手段から読み出して前記表示手段に表示する制御手段とを有することを特徴とする帳票画像管理システム。
【発明の詳細な説明】
【０００１】
【発明の属する技術分野】
本発明は、画像を取得し、取得した画像をその管理情報と共に登録して管理し、その管理された画像を閲覧する画像管理システムに関するものである。
【０００２】
【従来の技術】
文書等の画像に対し、コメントなどを付して管理する技術として、例えば、特許文献１や特許文献２に開示されているものがある。
【０００３】
特許文献１には、文書にメモを添付する技術思想が開示されている。
【０００４】
特許文献２には、文書内にマーキングしつつ高速なアクセスを可能にすることを目的とする技術思想が開示されている。
【０００５】
【特許文献１】
特開平１−２７０１６７号公報
【特許文献２】
特開平１１−２１９２４５号公報
【０００６】
【発明が解決しようとする課題】
上記の従来技術は、個々の画像に対してメモやマーキングなどの情報を付するものであり、複数の画像を含む画像グループに対して情報を付して管理することはできない。
【０００７】
しかし、個々の画像単位と、それらを含む画像グループ単位とでは、それぞれの単位で保持したい特記・備考情報が異なる。例えば、書類を整理する為にファイルに綴じる場合、各書類の特記・備考情報には対象書類だけに関する情報を記述するが、グループの特記・備考情報はファイルで言う背表紙や概要にあたる事項を記述する。すなわち、グループ単位の特記・備考情報には、同一ファイルに綴じた全ての書類に共通する事項を明記する必要がある。それは、収納した個々の書類を検索することと、ファイルを体系付けて管理することを考慮したことに起因する。ファイルを検索する場合、まずファイルの背表紙に記すファイル名や概要から、書類が綴じてあるファイルを特定しそのファイルの中から目的の書類を探すといったプロセスを行う。グループ単位の特記・備考情報には、ファイル内の書類に共通な事項として書類が属するカテゴリの内容を説明することで、カテゴリによる大分類と、書類の体系付けを実現している。このように、特記・備考情報としてグループ単位と個別単位で別の情報を持たせることで上記効果が生まれる。
【０００８】
そこで、本発明は、画像グループ単位と、画像グループ内の各画像単位の特記・備考情報と別々に且つ両方持たせることで、特記・備考情報入力時の利用者の負担軽減と、共通した記述方法の提供による操作効率向上を図ることを目的とする。
【０００９】
また、特記・備考事項として保持している情報から、ユーザにより指定されたキーワードを元に検索を行い、該当する画像グループまたは画像グループ内の画像情報を即座に検索・閲覧できることで操作者のデータ操作性の更なる向上を図ることを目的とする。
【００１０】
【課題を解決するための手段】
上記課題の解決のため、例えば、帳票類又は書類を画像により電子化するシステムにおいて、取得した画像の関連あるものを一つの画像グループ単位で取り扱う手段と、画像グループと画像グループ内の各画像に特記・備考情報を関連付ける手段と、画像グループ内の各画像と共に画像グループ単位・画像グループ内の各画像単位にそれぞれ関連付けた特記・備考情報（各操作者が注意又は留意すべき事項）を登録・閲覧・編集する手段と、画像グループと画像グループ内の各画像に関連付けた特記・備考情報として記述されたキーワード（特記・備考情報中の任意情報）を基に、任意の文書を特定し表示する手段を提供する。
【００１１】
【発明の実施の形態】
以下、本発明に好適な一実施形態について図１から図６を参照しつつ説明する。なお、本発明は、この実施形態のみに限定されない。
【００１２】
図１は、画像管理システムの構成を示すブロック図であり、スキャナ１０１と、登録クライアント１０２と、データベース管理サーバ（データサーバ）１０３と、検証クライアント１０４と、それらをインタフェース（ＩＦ）を介して接続するネットワーク１０５とを有し、スキャナ１０１から画像を取得し（▲１▼）、登録クライアント１０２で画像ＩＤや画像グループＩＤを付して、また、必要に応じて特記・備考情報を付してデータサーバ１０３に登録（一次登録）し（▲２▼）、検証クライアント１０４でデータサーバ１０３に一次登録された画像を読み出して検証し、承認しない場合は、必要に応じて特記・備考情報を付して登録クライアント１０２での再登録のためにデータサーバ１０３に登録（二次登録）（▲３▼）、または、承認する場合は、承認の情報と共にデータサーバ１０３に登録（本登録）する（▲４▼）。検証クライアント１０４で再審査が指示された場合には、データサーバ１０３から再審査に該当する画像を呼び出して登録クライアントで登録（再登録、三次登録）する（▲５▼）。
【００１３】
スキャナ１０１は、帳票の表面を走査して様々な帳票類又は書類の画像を取得するものであるが、カメラ等の他の画像取得方法によって画像を取得するものによっても置換できる。
【００１４】
登録クライアント１０２は、スキャナ１０１と接続し、取得した画像に関する画像ＩＤ（＝ｉｄｅｎｔｉｆｃａｔｉｏｎ）、取得日付の管理情報を人手により入力、または機械的にそれら情報を認識等の手段により取得すると共に、メモ情報を入力してデータサーバ１０３に記憶し、また、検証クライアント１０４にて再処理対象としてデータサーバ１０３に登録された画像グループが有する画像または管理情報を修正する機能を有する。なお、ＩＤは、数字や文字の組み合せ等からなる識別情報を意味する。また、メモ情報とは、操作者が任意に入力したコメント等の情報であり、特に、当該画像の濃度補正等の画像補正、関連する画像の画像グループ化、及び各操作者に指示又は留意すべき内容を特記・備考情報といい、以下特記・備考情報を例にして説明する。
【００１５】
各種プログラムを実行して各種ハードウェアを制御するＣＰＵ等の制御部１０２１と、各種プログラムやデータを記憶する半導体メモリや磁気ディスク等の記憶部１０２２と、操作者に向けた案内画面を表示する表示部１０２３と、キーボード、マウス、タッチパネル等の入力部１０２４と、スキャナ１０１で取得した画像に日付や個別の画像ＩＤを付与する画像ＩＤ付与プログラム１０２５と、複数の画像を画像グループとしてまとめ、個別の画像グループＩＤを付与する画像グループＩＤ付与プログラム１０２６と、画像ＩＤ毎及び画像グループ毎に特記・備考情報を登録する特記・備考情報登録プログラム１０２７と、画像グループＩＤ、特記・備考情報の一部によってデータサーバ１０３を検索し、画像を読み出す画像検索プログラム１０２８と、記憶部１０２２やデータサーバ１０３に記憶されている情報に基づいて画像と共に特記・備考情報を表示部１０２３に表示して操作者に閲覧させる閲覧プログラム１０２９と、閲覧させた特記・備考情報を編集する編集プログラム１０２０と、画像の濃度や歪みを補正する画像補正プログラムと、ネットワーク１０５やスキャナ１０１と接続するインタフェース（ＩＦ）とを含む。
【００１６】
検証クライアント１０４は、登録クライアント１０２からデータサーバ１０３に記憶された画像の濃度等の確認及び人手により入力または該当する情報を取得した画像上より文字読取手段により取得した管理情報が正しいか否かを確認し、正しい場合は現在処理中の画像グループの情報をデータサーバ１０３に登録、正しくない場合は登録クライアント１０１で再処理対象として画像グループをデータサーバ１０３に登録する機能を有する。
【００１７】
登録クライアントと同様の構成を含むが、画像の登録機能（画像ＩＤ付与プログラムや画像グループＩＤ付与プログラムなど）は含まない。なお、登録クライアントで検証を実行しても良く、また、検索や閲覧のために検索専用のクライアントを設けても良い。
【００１８】
データサーバ１０３は、登録クライアント１０２や検証クライアント１０４からのデータ登録、照会要求に応じた処理を行うと共に、画像グループ等の情報を保持する機能を有する。
【００１９】
図２（ａ）は、データサーバ１０３に記憶しているデータの形式の一例を示し、スキャナで取得した帳票類又は書類の個別画像２０１〜２０４と、個別画像を管理するための画像ＩＤ、取得日付、画像グループＩＤなどを含む管理情報２０５とをグループ化した画像グループ２０６毎に管理している。
【００２０】
図２（ｂ）は、管理情報２０５の詳細を示す管理情報テーブルの一例を示し、画像グループに個別の番号、記号又は名称である画像グループＩＤ２０５１と、画像グループＩＤに対応する特記・備考情報２０５２（第１の特記・備考情報、画像グループ特記・備考情報）と、画像グループに含まれる各画像に個別の番号、記号又は名称である画像グループＩＤ２０５３と、画像の取得日付２０５４と、画像ＩＤに対応する画像ごとの特記・備考情報２０５３（第２の特記・備考情報、個々画像特記・備考情報）を含む。なお、画像グループＩＤと画像ＩＤとを一体として記憶していてもよい（例えば、画像グループＩＤが２で且つ画像ＩＤが３のときに「２−３」や「２３」と記憶していること）。
【００２１】
図６は、登録クライアント１０２や検証クライアント１０４（総称して、クライアントともいう）において、各閲覧プログラムで各表示部（１０２３、１０４３）へ表示する画面の一例として、画像を閲覧した際にデータサーバ１０３又は各記憶部（１０２２、１０４２）に基づいて表示する特記・備考情報ダイアログ６０１を示す。
【００２２】
特記・備考情報ダイアログ６０１は、画像グループＩＤ２０５１を基に表示する画像グループＩＤ欄６０２と、当該画像の登録日付２０５４を基に表示する登録日付欄６０３と、画像グループの特記・備考情報２０５２を基に表示する画像グループ特記・備考情報欄６０４と、当該画像グループ中の個々の画像数を表示する個別画像総ページ数欄６０５と、表示部に表示している（処理対象である）画像のページ番号を表示するページ番号欄６０６と、処理対象である個別画像をページ単位で前後に移動するページ移動ボタン６０７と、画像ＩＤ２０５３を基に表示する個別画像ＩＤ欄６０８と、個別画像の特記・備考情報２０５５を基に表示する個別画像特記・備考情報欄６０９と、画像検索プログラム１０２８によってデータを検索する際の検索条件を入力する検索キー欄６１０と、検索を開始させる検索開始ボタン６１１から構成する。
【００２３】
前記画像グループＩＤ欄６０２、登録日付欄６０３、画像グループ特記・備考情報欄６０４、個別画像ＩＤ欄６０８、個別画像特記・備考情報欄６０９、検索キー欄６１０は、特記・備考情報登録プログラム１０２７又は特記・備考情報編集プログラム１０２０で操作者による入力部１０２４又は１０４４への操作者による情報の入力、編集を可とする。
【００２４】
登録クライアント１０２における特記・備考情報ダイアログ６０１の利用を説明する。登録クライアント１０２では、新規のデータ登録と、検証クライアント１０４から差し戻されたデータの再登録をする。
【００２５】
新規登録では、処理中の画像グループに対して他の操作者に注意してほしい情報を画像グループ特記・備考情報欄６０４に入力し、個別画像に対して、前記と同様に他の操作者に注意して欲しい情報を個別画像特記・備考情報欄６０９に入力する（図３のステップ３０６参照）。
【００２６】
再登録では、登録クライアント１０２にて検証クライアント１０４から差し戻された再登録対象データを検索するため、検索開始ボタン６１１を押下する（図３のステップ３１０参照）。その際、画面上に要再登録候補一覧を表示するので、その一覧の中からデータを選択することで、再登録対象データを一画像グループ単位でサーバから受信し、画面上に表示する。登録操作者（操作者のうち、特に登録クライアントを操作する者）は、画像グループ特記・備考情報欄６０４に表示される差し戻し理由などの情報を目視により確認する。本欄中で文字表示色が変わりマウスなどの入力装置で選択できる状態であれば（６１２）、直接選択することで該当個別画像へ移動する（ハイパーリンク機能）。検証操作者（操作者のうち、特に検証クライアントを操作する者）から個別画像毎の詳しい指示などは個別画像特記・備考情報欄６０９を参照する。指示作業が終了したものについては、登録操作者が各特記・備考情報欄より消去する。
【００２７】
検証クライアント１０４における特記・備考情報ダイアログ６０１の利用を説明する。
【００２８】
検証クライアント１０４にて、登録クライアント１０２から送られた検証対象データを検索するため、検索開始ボタン６１１を押下する（図４のステップ４１１参照）。その際、画面上に要検証候補一覧を表示するので、その一覧の中からデータを選択することで、検証データを一画像グループ単位でサーバから受信し、画面上に表示する。
【００２９】
検証操作者は、登録操作者が入力した注意又は留意して欲しい情報である画像グループ特記・備考情報欄６０４と、個別画像特記・備考情報欄６０９とを参照しながら、ページ移動ボタン６０７を押下し個別画像を順次参照する。登録クライアント１０２にて再登録の必要があると検証操作者が判断した場合は、該当個別画像の個別画像特記・備考情報欄６０９に具体的な指示を入力し、画像グループ特記・備考情報欄６０４に該当ページ番号を予め設定した書式“〈〉”（６１２）内に記入する。なお、特記・備考情報が未入力のものについては空白などにする。
【００３０】
図３は、登録クライアント１０２の制御部１０２が登録又は再登録の際に実行する処理のフローチャートを示す。
【００３１】
起動時、データサーバ１０３の再登録対象データの処理を行うか判断する（ステップ３０１）。本処理を実施しない場合、新規データ登録実施の判断を行う（ステップ３０２）。新規データ登録を行う場合、ステップ３０３に移る。
【００３２】
新規データ登録を行う場合には、スキャナ１０１上に配置された帳票類又は書類の画像を、登録操作者によるスキャナ１０１操作または登録クライアント１０２の操作を契機にスキャナ１０１から取得した画像に対し、画像ＩＤ付与プログラム１０２３で画像ＩＤを付すと共に画像と画像ＩＤと取得日付とを記憶部１０２２に記憶する。また、画像と共に、画像を文字認識した結果を表示部１０２３に表示する（ステップ３０３）。
【００３３】
表示中の画像が不正（例えば画像上の文字が識別しづらい等）である場合は画像補正プログラムによって濃度調整等を行った結果を記憶部１０２３に保持する（ステップ３０４）。表示中の文字認識結果又は手入力した結果を保持する（ステップ３０５）。現在処理対象の画像または画像グループにおいて、登録操作者が検証操作者等の他の操作者に注意または留意して欲しい情報を図６の特記・備考情報ダイアログ６０１において個々の画像単位又は画像グループ単位で特記・備考事項として入力部１０２４で入力した場合は、特記・備考情報登録プログラム１０２７でその情報を記憶部１０２２に保持する（ステップ３０６）。
【００３４】
登録操作者は、前記ステップ３０３からステップ３０６の作業を、一画像グループとして登録する帳票の枚数分の回、実施する（ステップ３０７）。一画像グループとして登録する書類又は帳票類がなくなった場合、登録操作者による登録操作を契機に現在処理中の各画像および画像グループＩＤ付与プログラム１０２６で付した帳票画像グループＩＤを含む管理情報を１つの画像グループとしてデータサーバ１０３に送信する。
【００３５】
データサーバ１０３は、登録クライアント１０２から送信される情報を受信し、検証クライアント１０４処理対象情報として図２に示すように登録する（ステップ３０８）。
【００３６】
登録操作者は登録クライアント１０２で登録すべき書類又は帳票類が存在する場合は再度ステップ３０３以降の操作を、存在しない場合は終了操作を契機に処理を終了する（ステップ３０９）。
【００３７】
ステップ３０１にて検証クライアント１０４から再登録対象としてデータサーバ１０３に登録した情報の処理を実施すると判断した場合、データ検索のためステップ３１０に移る。登録クライアント１０２は、データを検索するために必要な検索条件を入力し、画像検索プログラム１０２８によってデータサーバ１０３へ問い合わせる。
【００３８】
データサーバ１０３は、受信した検索条件に該当するデータを検索し、結果一覧を登録クライアント１０２へ送信する（ステップ３１０）。一覧を受信した登録クライアント１０２は一覧を表示し、登録操作者に該当データ有無の判断を行わせる（ステップ３１１）。
【００３９】
ステップ３１１にて該当データが無い場合は、検索を継続するかの判断を行い（ステップ３１２）、継続する場合はステップ３１０以降の操作を、継続しない場合はステップ３０２へ移る。また、ステップ３１１にて、データサーバ１０３から送信される検索結果一覧にて該当データが有ると判断した場合、ステップ３１３へ移る。一覧内の当該データをデータサーバ１０３より取り込み、画像、管理情報、特記・備考情報等を画面上に画像閲覧プログラム１０２９によって図６に示すように表示部１０２３に表示する（ステップ３１３）。
【００４０】
登録操作者は、画面上に表示された特記・備考情報を参照し（ステップ３１４）、その内容に従って必要事項を画面補正プログラムなどで修正する。登録クライアント１０２は、修正された内容を保持し（ステップ３１５）、ステップ３０８の処理に移る。特記・備考情報を修正する場合には特記・備考情報編集プログラム１０２０を用いる。
【００４１】
図４は、検証クライアント１０４の処理の流れを示す。検証クライアント１０４は、データサーバ１０３への本登録可否を判断し、再登録又は本登録を実施する。検証クライアント１０４は、登録クライアント１０２がデータサーバ１０３に登録した一次登録及び再登録（三次登録）データを、登録日時が早い順に処理していく。しかし、検証クライアント１０４は、起動時、データサーバ１０３の検証対象データの中から、登録日時は遅いが優先して本登録を行う必要があるデータを読み込むなどの作業のため、検証データ検索を行うか判断する（ステップ４０１）。通常はサーバへ登録した順に（Ｆｉｒｓｔ  Ｉｎ  Ｆｉｒｓｔ  Ｏｕｔ方式）検証処理を行っていくが、後からデータ登録をしたが本登録を急ぐ必要のある案件に対応する為、検索実施の判断を行う。
【００４２】
検索を実施しない場合、データサーバ１０３に保持している検証対象データを順次処理するかの判断を行う（ステップ４０２）。検証処理を実施しない場合は終了、検証処理を実施する場合はステップ４０３に移る。
【００４３】
データの検証作業を実施する場合、検証対象データを個別画像と管理情報も含めた画像グループ単位でサーバより取得し、画像閲覧プログラム１０４９によって表示部１０４３の画面上に図６のダイアログ６０１と共に表示する（ステップ４０３）。
【００４４】
また、登録クライアント１０２にて、登録操作者が検証操作者に対して注意又は留意すべき特記・備考情報を入力していた内容は、画面上に表示する（ステップ４０４）。検証操作者は、データサーバ１０３から取得した検証対象データを画面表示により確認し、再度登録作業をやり直す必要の有無を判断する（ステップ４０５）。
【００４５】
ステップ４０５の結果から、検証操作者はデータに修正すべき箇所の有無を判断し（ステップ４０６）、修正箇所が無いと判断した場合は、検証終了動作を契機に、検証クライアント１０４は現在処理中のデータをデータサーバ１０３へ送信する。
【００４６】
データサーバ１０３は、当該データを受信後、検索可能データになるよう登録処理を行う（ステップ４０７）。
【００４７】
また、ステップ４０６において、検証操作者がデータサーバ１０３から取得した検証対象データを検証した結果、修正すべき箇所が有り再登録の必要があると判断した場合は、修正箇所や作業指示といった登録操作者に対する情報を特記・備考情報として特記・備考情報編集プログラム１０４０で編集し（ステップ４０９）、検証クライアント１０４は、再登録要操作を契機に、現在処理中のデータをデータサーバ１０３へ送信する。データサーバ１０３は、当該データを受信後、再登録要データとして、再度登録クライアント１０２で処理するよう登録処理を行う（ステップ４１０）。ステップ３１３で再登録を実行する。
【００４８】
以上、一画像グループとして、検証が終わった場合、作業継続の判断を行う（ステップ４０８）。続けて、検証作業を行う場合は、ステップ４０３以降の操作を行い、検証作業を行わない場合は作業終了となる。
【００４９】
また、ステップ４０１において、データサーバ１０３に保持している検証クライアント１０４処理対象データから任意データの検索を実施すると判断した場合は、データ検索のためステップ４１１に移る。
【００５０】
検証クライアント１０４は、検索プログラム画像検索プログラム１０２８によってデータを検索する検索条件を入力部１０４４で入力し、データサーバ１０３へ問い合わせる。検索条件としては、管理情報テーブルに記憶されている画像グループＩＤや画像ＩＤや取得日付を指定できるが、特に、画像グループ特記・備考情報や個々画像特記・備考情報に含まれる文字列やキーワードを指定して対応する情報を取得できる。このような文字列やキーワードを指定することによって、ＩＤや日付を用いるものよりも大まかな検索が可能となる。データサーバ１０３は、受信した検索条件に該当するデータを管理情報テーブルから検索し、結果一覧を検証クライアント１０４へ送信する（ステップ４１１）。
【００５１】
一覧を受信した検証クライアント１０４は一覧を表示し、検証操作者に該当データ有無の判断を行わせる（ステップ４１２）。ステップ４１２にて該当データが無い場合は、検索を継続するかの判断を行い（ステップ４１３）、継続する場合はステップ４１１以降の操作を、継続しない場合はステップ４０２へ移る。
【００５２】
図５は、検索する場合の処理の流れを示す。登録クライアント１０３又は検証クライアント１０４から、データサーバ１０３に既に登録してある検索可能データから所望のデータを検索するために、画面上にある検索条件入力欄に所望のデータを一意に示す条件を入力する（ステップ５０１）。ステップ５０１にて入力された検索条件を、データサーバ１０３へ送信する（ステップ５０２）。ステップ５０２にて送信された条件を受け取ったデータサーバ１０３は、検索可能データから検索条件に該当するデータの一覧を生成し、クライアントへ送信する。クライアントは、サーバより送信された検索結果の一覧を受信し（ステップ５０３）、該当データの有無を確認する（ステップ５０４）。ステップ５０４にて、該当するデータが存在する場合は、データサーバ１０３へ検索可能データを一画像グループ単位での送信要求を行う（ステップ５０５）。データサーバ１０３は、クライアントから要求されたデータをクライアントに対し送信する（ステップ５０６）。クライアントは、データサーバ１０３から受信したデータを画面に表示する（ステップ５０７）。以上、一画像グループとして、検索が終わった場合、更に他のデータの検索作業を継続するかの判断を行う（ステップ５０８）。検索作業を行わない場合は、作業終了となる。ステップ５０４のクライアントが受信した検索結果一覧に所望のデータが無いと判断、あるいは、ステップ５０８にて更に他のデータの検索作業を継続すると判断した場合は、ステップ５０１の検索条件入力へ戻る。
【００５３】
【発明の効果】
これまでの画像管理システムでは、画像は一枚ごとに取り込み登録するだけであった為、それぞれの画像間の関連性を表すことが困難であった。
【００５４】
本発明により、関連ある画像を画像グループとして扱うことで、画像グループというカテゴリに体系的に分類でき、関連ある画像が一目分かると伴にグループ単位で扱うことで操作性が向上した。
【００５５】
また、画像グループの概要や個別画像との関連などを特記・備考情報として明記することで、個別画像検索の際、画像グループの特記・備考情報の内容から大分類し、個別画像を検索するといったトップダウン式の検索が可能となる。
【００５６】
さらに、複数の作業者を介して取り扱われる画像データに対して画像グループ及び個別画像単位で特記・備考事項が文書で記載できるので、作業者間の柔軟な意思伝達を可能とする。
【図面の簡単な説明】
【図１】システム構成のブロック図。
【図２】データサーバに記憶しているデータ形式の一例。
【図３】データ登録フローチャート。
【図４】データ検証フローチャート。
【図５】データ検索フローチャート。
【図６】特記・備考情報ダイアログの一例。
【符号の説明】
１０１…スキャナ、１０２…登録クライアント、１０３…データサーバ１０３、１０４…検証クライアント、１０５…ネットワーク、２０１…個別画像１、２０６…画像グループ１、６０４…画像グループ特記・備考情報欄、６０９…個別画像特記・備考情報欄、６１０…検索キー、６１２…ページへ直接移動するための書式。
【図１】
2005043929.tif 000003
【図２】
2005043929.tif 000004
【図３】
2005043929.tif 000005
【図４】
2005043929.tif 000006
【図５】
2005043929.tif 000007
【図６】
2005043929.tif 000008